【事件の表示】
　平成９年特許願第１９９３０３号「引戸のガイド装置」拒絶査定不服審判事件〔平成１０年３月１０日出願公開、特開平１０−６８２６６〕について、次のとおり審決する。
【結　論】
　本件審判の請求は、成り立たない。
【理　由】
【１】手続の経緯・本願発明
　本願は平成７年１０月１８日に出願した特願平７−２９４７５８号の一部を平成９年７月９日に新たな特許出願としたものであって、その請求項１に係る発明は、平成１９年３月１９日付け手続補正書により補正された明細書及び図面の記載からみて、その特許請求の範囲の請求項１に記載された以下のとおりのものと認める。
　「【請求項１】引戸が立て付けられる鴨居や枠体の下面に取り付けられるレールと、前記引戸の上面に設けられた長溝に連通し前記レールの平板状のレール板部が嵌合するガイド溝を備えたスライダーとからなる引戸のガイド装置において、
　前記スライダーは、調整溝を有するスライダー本体と該スライダー本体内に収納、保持されると共に前記ガイド溝を有するガイド部材との別体に形成され、前記ガイド部材は前記ガイド溝を頂部に有してなり、前記スライダー本体内に前記ガイド部材が引戸の厚み方向に移動可能に組み込まれて構成されるとともに、前記ガイド溝は前記調整溝や前記長溝の溝幅よりも狭小かつ前記レール板部に面接触するガイド溝として形成され、前記ガイド部材が前記スライダー本体に対し溝幅方向に最も移動した調整状態時にも前記ガイド溝が前記調整溝や長溝の溝幅内に位置するように設定され、かつ前記ガイド部材は、該スライダー本体の前壁側から操作されるカムによって該スライダー本体の側壁に嵌挿された支持杆上で摺動可能に設けられることにより溝幅方向に移動することを特徴とする引戸のガイド装置。」（以下、「本願発明」という。）
　　
　　
【２】出願日について
　本願は、平成７年１０月１８日に出願された特願平７−２９４７５８号（以下、「原出願」という。）を、平成９年７月９日に分割して、新たな特許出願としたものであるが、
　原出願の最初に添付した明細書又は図面（以下、「原明細書等」という。）には、引戸の開閉に当たって接触抵抗が少なくきわめて滑らかな走行を得ること等を目的として、取付片とこの取付片から下方に延びる脚片とで構成したレールにおける上記脚片の構造を、その下端に脚片の幅方向に膨出形成した細長円筒状のガイド部を備えて断面を逆鍵孔状に形成することにより、脚片のガイド部をスライダー或いは嵌挿部材における嵌挿部の両側面或いは両端面に線接触するようにした発明が開示されており、上記脚片（本願発明の「レール板部」に相当する。）の構造を平板状とし、且つ、上記脚片とスライダー或いは嵌挿部材（嵌挿部材が本願発明の「ガイド部材」に相当する。）の嵌挿部（嵌挿部材の嵌挿部が本願発明の「ガイド溝」に相当する。）の両側面或いは両端面とを面接触するようにした発明は開示されていないので、原明細書等には、本願発明における「レールの平板状のレール板部」及び「レール板部に面接触するガイド溝」に相当する事項ついては記載されておらず、且つ、それらの事項が原明細書等の記載から自明なこととも認められないものであり、
　また、本願発明における「ガイド部材がスライダー本体に対し溝幅方向に最も移動した調整状態時にもガイド溝が調整溝や長溝の溝幅内に位置するように設定され」との事項は、審査官が平成１７年１月５日付け拒絶理由通知書中において原明細書等に記載された事項の範囲内のものではない旨指摘し、請求人も同年３月１８日付け意見書においてこれを認めている「ガイド部材がスライダー本体に対し最大に移動した場合でもガイド溝が調整溝や長溝の溝幅内に位置するように設定されている」との事項と実質的に同一内容の事項といえるものであるから、
　何れにしても、本願は、原明細書等に記載されていない事項を含む出願ということになり、本願は、原出願からの適法な分割出願とはいえず、現実の出願日である平成９年７月９日に出願されたものとするのが相当である。
　　
　　
【３】刊行物とそれに記載された発明
［１］当審の拒絶理由通知に引用し、本願の現実の出願前に日本国内において頒布された刊行物である特開平９−４１７８４号公報（以下、「刊行物１」という。）には、「引戸、及び引戸構造」に関して、以下の事項が図面とともに記載されている。
（１）「【０００１】
【産業上の利用分野】本発明は、間仕切扉、収納扉、家具扉等に用いられる引戸、及び、該引戸を用いた引戸構造に関する。」
（２）「【０００３】
【発明が解決しようとする課題】本発明は、予め方立や隣接する引戸との間隔を狭くして建て付けていても、後になって引戸に反りが生じた場合、方立や隣接する引戸との接触を回避させる手段を有する引戸、及び、該引戸を用いた引戸構造を提供するものである。さらに、本発明は、がたつかないように建て付けていても、引戸が幅方向に反りを生じた場合にも開け閉めがスムーズに行える引戸、及び、該引戸を用いた引戸構造を提供するものである。」
（３）「【０００６】以下、図面に基づいて本発明を詳細に説明する。図１は、本発明の引戸１の一実施例を表す断面図（Ａ）、及び上面から見た平面図（Ｂ）である。引戸１には、上端面に一定幅の引戸溝２が設けられている。・・・
　【０００７】引戸１の上端面に設けられた引戸溝２に埋め込まれるレール支持材３は、合成樹脂や金属、或は、木材等によって作ることができ、また引戸１における支持部４の位置を引戸の厚み方向に変えることができればその形状は特に限定されないが、本発明においては、以下の三種類のレール支持材３を具体的に示す。
　【０００８】一種類目のレール支持材３１としては、・・・図２−（Ａ）及び図２−（Ｂ）に示すように、支持部４１が、突起部３１１、及び（もしくは）突起部３１２によってレールの幅とほぼ等しくなるように形成されていることが、レール支持材３１を軽量にでき、また少量の材料から成形することができるので好ましい・・・」
（４）「【００１２】三種類目のレール支持材として、レール支持材における支持部の位置が引戸の厚み方向に変わることのできるレール支持材を提供する。さらに、このようなレール支持材として、我々は次の二種類のレール支持材３３、及び、３４を提供する。」
（５）「【００１６】次に、レール支持材３４として、外枠３４１と、該外枠３４１に取り付けられ、ねじ溝を有するシャフト３４２と、該シャフト３４２の周囲を回転して移動する移動調節素子３４３と、支持部４４を形成する凹部を有しており、移動調節素子の動きに連動して動く内枠３４４からなるレール支持材３４を提供する。
　【００１７】該レール支持材３４は、支持部４４が動く基本的な機構は前記レール支持材３３とほぼ同じであるが、シャフト３４２の回りを直接支持部４４を有する内枠３４４が回転するのではなく、シャフト３４２の回りを移動調節素子３４３が回転しながら移動し、これに連動して内枠３４４が移動する。よって、内枠３４４は回転する必要がなく、そのためレールを保持するための凹部と、移動調節素子３４３と連動するための部分を有していれば、その形は特に限定されない。尚、本明細書においては、図５−（Ａ）に示すように、移動調節素子３４３の端部を嵌め込むための嵌合穴３４５を有しており、さらに凹部を有する、断面がコの字状の内枠３４４を例示する。また、移動調節素子３４３は、シャフト３４２の周囲を回転しながら移動することが可能で、しかも内枠３４４にその動きを伝える手段を有していれば、前記支持材３３の内枠３３３のように、支持部４３を有する必要がない。そのため、前記支持材３３の内枠３３３よりもかなり小さくても、十分その機能を発揮することができる。本明細書においては、移動調節素子３４３として、図５−（Ｂ）に示すように、中心にシャフト３４２と螺合することのできる移動調節素子穴３４６を有し、さらにその端部を内枠３４４の嵌合穴３４５に嵌め込むことのできる、円盤状の成形物を例示する。また、外枠３４１、及び、シャフト３４２に関しては、前記レール支持材３３の外枠３３１、及び、シャフト３３２と同様のものを用いることができる。
　【００１８】本発明によるレール支持材３４は、図５−（Ｃ）に示すように、移動調節素子３４３が螺合されたシャフト３４２が外枠３４１に取り付けられ、更に該移動調節素子３４３が、内枠３４４と連動している。連動手段は、移動調節素子３４３の動きを内枠３４４に、十分に伝えることができれば特に限定しないが、本明細書では、内枠３４４に設けた嵌合穴３４５に、移動調節素子３４３の端部を挿入する方法を例示する。尚、内枠３４４を嵌合穴３４５に挿入しただけでは、内枠３４４が不安定である場合は、該内枠３４４に二個の穴をあけ、これに補助棒３４７を通し、更に該補助棒３４７の両端を外枠３４１に連結するなどしてもよい（図４−（Ｄ））。該レール支持材３４は、移動調節素子３４３を回転させると、これに連動して内枠３３３が外枠３３１内を引戸１の厚み方向に移動し、引戸１における支持部４３の位置を、引戸１の厚み方向に変えることができる。」
（６）「【００２１】尚、これらレール支持材３３、及び、３４は、引戸１の上端面と、厚み方向に平行な側面からなる角部に取り付け、内枠３３３、もしくは、移動調節素子３４３を引戸１の厚み方向に平行な側面から回転させられるようにすると、支持部４３、或は、支持部４４の位置を変更する際に、引戸１をいちいちレールから取り外さなくてもよい。・・・」
（７）「【００２３】又、本発明の引戸１は、レール支持材３を引戸溝２の全域にわたって埋め込んでもよいが、引戸が幅方向に反りを生じた場合に開け閉めが困難になるので、レール支持材３は引戸溝２の両端の二か所にのみ埋め込むことが好ましい。即ち、引戸溝２の全てにレール支持材３が埋め込まれていると、引戸が幅方向に湾曲した場合、レール支持材３の支持部４によって挟まれているレールが、引戸の中央部付近で該支持部４の一方の内側壁面を強く押し付け、しかも、引戸の両端部では該支持部４のもう一方の内側壁面を強く押し付けるようになり、レールと支持部４の内側壁面との滑り性が悪くなり、引戸の開け閉めに支障をきたすようになる。そこで、レール支持材３は、引戸溝２の両端部にのみ埋め込み、引戸の両端部以外ではレールがレール支持材３の支持部４と接触しないようにするのが好ましい。しかも、本発明による引戸１は、図１−（Ｂ）からも明らかなように、引戸の上端面に設けられた引戸溝２の幅がレール支持材３の支持部４の幅よりも広くなっている。そのため、引戸１が幅方向に反って湾曲しても、レール支持材３を、引戸溝２の両端部にのみ埋め込んでおくと、レールが、引戸の中央部付近で引戸溝２の内側壁面を強く押し付けるようなこともなく、引戸の開け閉めが容易である。」
（８）「【００２５】・・・本発明の引戸構造は、引戸１の上端面に引戸溝２が設けられ、この引戸溝２にレール支持材３が埋め込まれ、該レール支持材３の支持部４が鴨居６に掘られた鴨居溝６１内に取り付けられたレ−ル４を嵌め込む構造になっている。そこで、本発明の引戸構造では、鴨居６も、従来から木質板の引戸に用いられていた鴨居６とは異なり、鴨居溝６１内にレール５を取り付けることが大きな特徴になっている。・・・そして、該概略Ｌ字状のレールは、図８、及び図９に示すように、Ｌ字の一辺を鴨居溝６１内に取り付け、残る一辺をレール支持材３の支持部４への嵌め込み用とする。」
（９）そして、【図１】，【図５】，【図６】等の記載からみて、引戸１上端面に一定幅で設けた引戸溝２に埋め込んだ状態で取り付けられたレール支持部材３４において、外枠３４１の引戸溝２に連通した溝に対し内枠３４４が溝幅方向に最も移動した調整状態時にも、外枠３４１の上記溝や引戸溝２が内枠３４４に凹部として形成した支持部４４に対して溝幅方向に広がりを有していること、上記支持部４４が外枠３４１の上記溝や引戸溝２の溝幅よりも狭小でありかつレール５の嵌め込み用のＬ字の一辺に面接触するガイド溝として形成されていることは自明である。
　上記（１）〜（９）の記載等、特に、一実施例を示す【図５】（Ａ）（Ｂ）（Ｄ）の記載からみて、刊行物１には、
　「引戸１が立て付けられる鴨居６の下面に取り付けられるレール５と、前記引戸１の上面に設けられた引戸溝２に連通し前記レール５の嵌め込み用のＬ字の一辺が嵌合する内枠３４４に凹部として形成した支持部４４を備えたレール支持部材３４とからなる引戸構造において、
　前記レール支持部材３４は、溝を有する外枠３４１と該外枠３４１内に収納、保持されると共に前記支持部４４を有する内枠３４４との別体に形成され、前記内枠３４４は前記支持部４４を頂部に有してなり、前記外枠３４１内に前記内枠３４４が引戸の厚み方向に移動可能に組み込まれて構成されるとともに、前記支持部４４は前記外枠３４１の溝や前記引戸溝２の溝幅よりも狭小かつ前記嵌め込み用のＬ字の一辺に面接触するガイド溝として形成され、前記内枠３４４が前記外枠３４１に対し溝幅方向に最も移動した調整状態時にも前記支持部４４が前記外枠３４１の溝や引戸溝２の溝幅内に位置するように設定され、かつ前記内枠３４４は、引戸１の厚み方向に平行な側面から回転させられる移動調節素子３４３によって該外枠３４１の側壁に連結された補助棒３４７上で摺動可能に設けられることにより溝幅方向に移動する引戸構造。」との発明（以下、「刊行物１記載の発明」という。）が記載されているものと認められる。
　　
［２］同じく、特開平９−１１２１１９号公報（本願の原出願の公開公報。以下、「刊行物２」という。）には、「引戸のガイド装置」に関して、以下の事項が図面とともに記載されている。
（１）「【０００１】
【発明の属する技術分野】本発明は、引戸を立て付ける鴨居に取り付けられるレールと、引戸の頂面に取り付けられ且つ前記レールと嵌合して引戸の円滑な開閉が行われるように構成したスライダーとの組み合わせからなる引戸の上方部分におけるガイド装置に関するものである。」、
（２）「【０００９】図１および図２は本発明の好ましい実施の形態の一つを示すものであり、鴨居１の下端面２に取り付けられるレール３と、引戸６の頂面７に沿って取り付けられるスライダー８とから構成される。
　【００１０】レール３は鴨居１の幅方向に延びて鴨居１の下端面２に取り付けられる取付片９と、この取付片９の一端から下方に延びる脚片１０とによって、端面Ｌ字形に構成され、脚片１０は下端に脚片１０の幅方向に膨出形成された細長円筒状のガイド部１１が備えられて断面が逆鍵孔状に形成されている。
　【００１１】そして、レール３は取付片９を固定ねじ３１を用いて鴨居１の下端面２に沿って取り付けられる。」
（３）「【００１６】次に、本発明の異なる実施の形態を図３乃至図１０に就いて説明する。
　【００１７】この発明の実施の形態におけるレール２３は前記図１および図２に示した実施の形態と同様であり、スライダー２８の構成が異なる。即ち、スライダー２８は主として頂面４０を開口させた函状のスライダー本体３２と、スライダー本体３２に内装される溝状の嵌挿部２５を備えた嵌挿部材３３と、カム３４と、操作部片３５とから構成される。
　【００１８】そして、スライダー本体３２は、二枚の対向する側壁３６，３６と、これら側壁３６，３６の両端部を塞ぐ２枚の端壁３７，３８と、これら側壁３６，３６、端壁３７，３８の底面を塞ぐ厚肉の底壁３９とによって頂面４０を開口した薄型の函状に形成されているもので、内部に中空部４１を形成している。また、対向する二つの端壁３７，３８の上部には中心に沿って前記スライダー本体３２が嵌挿可能な幅を有する頂面４０と中空部４１とに連通している長方形の開口部４２，４２が形成されているとともに、一方の端壁３７の開口部４２の下方には、内周面が歯車状を呈する前記操作部片３５の嵌挿孔４７が形成されている。」
（４）「【００２０】そして、嵌装部材３３はその頂面２４をスライダー本体３２の頂面４０と同一面となる位置において中空部４１に配置されるとともに、スライダー本体３２の両側端３６，３６およびこれに連通して嵌装部材３３の支持部４３に形成された挿通孔４５を貫通する支持杆４６により、スライダー本体３２に幅方向に移動可能に架設支持されている。
　【００２１】また、支持杆４６はスライダー本体３２の一方の側壁３６に穿設された挿通孔４４に挿入する主管７１と、他方の側壁３６に側壁３６の挿通孔４４に挿入される副ねじ７２とからなり、主管７１の内部に先端から軸線方向へ穿設された雌ね
じ孔７１に副ねじ７２が螺入して構成される。」
（５）「【００２４】また、前記カム３４の本体５２には本体５２と同径または小径で表面にドライバ等の工具を差し込む係止溝５６を有する歯車状の係止突起５５を呈する操作部片３５が固着されており、この操作部片３５が前記スライダー本体３２の一方の端壁３７に形成された嵌挿孔４７に嵌挿している。
　【００２５】更に、前記室５１にはカム３４がその中心軸線において回転可能に装入されている。このカム３４は円形の本体５２と、この本体５２の中心から偏心して突設された軸５３とからなり、この軸５３が前記端壁４９の係合孔５０に遊嵌されている。また、嵌挿部材３３の端壁４９とカム３４の本体５２との間にはカム３４を操作孔４７を形成した端壁３７側へ付勢させるばね５４が装入され、本体５２が端壁３７の裏面に圧着している。
　【００２６】そして、ドライバ等の工具を係止溝５６に差し込んで、操作部片３５をばね５４のばね力に抗して室５１の内部に押し込み、左右いずれかの方向へ回すと、カム３４が回動して軸５３が係合孔５０内を移動して嵌挿部材３３を幅方向へ摺動させるのである。即ち、ドライバ等の工具を操作部片３５を押し込んで回すことにより、カム３４の動作によって嵌挿部２５をスライダー本体３２の幅方向に摺動させて、嵌挿部２５の幅方向の調整が行われるのである。」
（６）「【００３３】以上のように構成した本実施の形態は、ガイド部３１が嵌挿部２５の両端面６８，６８とほぼ線接触することから、引戸２６の開閉にあたって、抵抗が少なくきわめて滑らかな走行が得られるという効果があるとともに、殊に、操作部片３５を回すことにより、ガイド部３１を嵌合させた嵌挿部２５を引戸２６の厚さ方向へ調整して立て付けることが可能となるものである。」
　　
　　
【４】対比・判断
［１］本願発明と刊行物１記載の発明との対比
　本願発明と刊行物１記載の発明とを対比すると、刊行物１記載の発明の「引戸１」が本願発明の「引戸」に、以下同様に、「鴨居６」が「鴨居や枠体」に、「レール５」が「レール」に、「（レール５の）嵌め込み用のＬ字の一辺」が「（レールの）平板状のレール板部」に、「引戸溝２」が「長溝」に、「（内枠３４４に凹部として形成した）支持部４４」が「ガイド溝」に、「引戸構造」が「引戸のガイド装置」に、「レール支持体３４」が「スライダー」に、「外枠３４１」が「スライダー本体」に、「内枠３４４」が「ガイド部材」に、「外枠３４１の側壁に連結された補助棒３４７」が「スライダー本体の側壁に嵌挿された支持杆」に、それぞれ相当し、
　また、刊行物１記載の発明の「外枠３４１」の「溝」は、「外枠３４１」内に「内枠３４４」を収納、保持し、「外枠３４１」に対する「内枠３４４」の溝幅方向への移動調整を可能にしたものであるから、本願発明の「調整溝」に相当し、
　そして、刊行物１記載の発明の「引戸１の厚み方向に平行な側面から回転させられる移動調節素子３４３」と本願発明の「スライダー本体の前壁側から操作されるカム」とは、ともに、「スライダー本体に対するガイド部材の移動手段」である点で技術的に共通するから、両者は、
　「引戸が立て付けられる鴨居や枠体の下面に取り付けられるレールと、前記引戸の上面に設けられた長溝に連通し前記レールの平板状のレール板部が嵌合するガイド溝を備えたスライダーとからなる引戸のガイド装置において、
　前記スライダーは、調整溝を有するスライダー本体と該スライダー本体内に収納、保持されると共に前記ガイド溝を有するガイド部材との別体に形成され、前記ガイド部材は前記ガイド溝を頂部に有してなり、前記スライダー本体内に前記ガイド部材が引戸の厚み方向に移動可能に組み込まれて構成されるとともに、前記ガイド溝は前記調整溝や前記長溝の溝幅よりも狭小かつ前記レール板部に面接触するガイド溝として形成され、前記ガイド部材が前記スライダー本体に対し溝幅方向に最も移動した調整状態時にも前記ガイド溝が前記調整溝や長溝の溝幅内に位置するように設定され、かつ前記ガイド部材は、スライダー本体に対するガイド部材の移動手段によって該スライダー本体の側壁に嵌挿された支持杆上で摺動可能に設けられることにより溝幅方向に移動する引戸のガイド装置。」である点で一致し、次の点で相違する。
＜相違点＞
　スライダー本体に対するガイド部材の移動手段について、本願発明が、「スライダー本体の前壁側から操作されるカム」であるのに対し、刊行物１記載の発明は、「引戸１の厚み方向に平行な側面から回転させられる移動調節素子３４３」である点。
　　
［２］相違点についての検討
　上記相違点について検討するために刊行物２をみると、刊行物２には、「嵌挿部材３３」（本願発明のガイド部材に相当する。以下同様。）が、「スライダー本体３２」（スライダー本体）の端壁３７（前壁）側から操作されるカム３４（カム）によって、「スライダー本体３２」の側壁３６（側壁）に嵌挿された支持杆４６（支持杆）上で摺動可能に設けられることにより溝幅方向に移動できるようにした引戸のガイド装置の技術が記載されているから、
　刊行物１記載の発明における、スライダー本体に対するガイド部材の移動手段としての「引戸１の厚み方向に平行な側面から回転させられる移動調節素子３４３」に換えて、刊行物２記載の上記技術を適用して、本願発明の上記相違点に係る構成とすることは、当業者であれば容易に想到できたものと認められる。
　　
［３］作用効果・判断
　そして、本願発明によって奏する効果も、刊行物１記載の発明及び刊行物２記載の技術から普通に予測できる範囲内のものであって、格別なものがあるとは認められないから、本願発明は、刊行物１記載の発明及び刊行物２記載の技術に基づき当業者が容易に発明をすることができたものといわざるをえない。
　　
　　
【５】むすび
　以上のように、本願発明は、刊行物１記載の発明及び刊行物２記載の技術に基づき当業者が容易に発明できたものであって、特許法第２９条第２項の規定により特許を受けることができないから、本願は拒絶されるべきものである。
　よって、結論のとおり審決する。